(57)【特許請求の範囲】
【請求項１】
光ディスクの情報層に光ビームを集光する対物レンズを備え、アクチュエータベースに係合する可動体と、
前記アクチュエータベースを支持する光学基台と、
前記アクチュエータベースと前記光学基台との間を所定の間隙に保ち、前記可動体の前記光ディスクに対する傾きを調整する２つの傾き調整部材と、
前記アクチュエータベースの前記光学基台に対する略投影面内に存在し、前記アクチュエータベースと前記光学基台とを圧接付勢する付勢部材と、
前記２つの傾き調整部材と一平面を規定する位置に存在し、前記アクチュエータベースと前記光学基台との間を前記所定の間隙に保つ中間部と、前記アクチュエータベースに備えた孔部に係合し、前記アクチュエータベース、前記光学基台及び前記付勢部材を保持する凸形状の先端部とを有する保持部材とを備え、
前記先端部の凸形状は雄ネジであり、前記孔部は前記雄ネジと噛み合う貫通雌ネジであり、中間部の外径は前記雄ネジの山径より細いことを特徴とする光ピックアップ装置。
【請求項２】
中間部は、前記貫通雌ネジの山径より細い部分と、前記貫通雌ネジの谷径より太い部分とを有することを特徴とする請求項１記載の光ピックアップ装置。
【発明の詳細な説明】
【０００１】
【発明の属する技術分野】
本発明は、ディスクに光スポットを投影して記録再生を行う光ピックアップ装置に関するものである。
【０００２】
【従来の技術】
光ピックアップは、光ディスクに対して記録及び／または再生（以下、記録再生と称する）を行うため、光集積素子の中の半導体レーザから発光されたレーザ光を、反射ミラー及び対物レンズによって、光ディスクの情報層に微小スポットを集光させる。また、再生時はディスク面での反射光を対物レンズ及び反射ミラーによって、光集積素子の光電変換検出部に戻し、その反射光量の強弱により、データを認識する様に構成されている。
【０００３】
この記録再生時、光ディスクの反りに伴う上下運動によるフォーカスずれの補正、光ピックアップの情報層上の追従または偏心などによるトラッキングずれの補正のため、対物レンズ駆動装置によって、対物レンズを光ディスクの情報層面に対して垂直な方向の光軸方向（以下、フォーカス方向と言う）Ｆ、及び光ディスクの情報層面に対して平行な方向の半径方向（以下、トラッキング方向と言う）Ｔとの２方向の制御を行っている。
【０００４】
また、光ピックアップには、光ディスクに対する対物レンズの光軸に直交する平面の傾きを粗調整（以下、チルト調整と称す）し、以て光ディスク装置の性能を高めるため、従来からチルト調整装置が設けられ、例えば実開平２−７６３１８号公報、特開昭５９−２２３９５４号公報等で提案されている。
【０００５】
以下、図面を参照しながら、従来の光ピックアップについて説明する。図１０から図１２は従来の光ピックアップ装置の代表的な例である。
【０００６】
光ディスク２のトラッキング方向Ｔに平行するように設けられたアクセス用主軸３とアクセス用副軸４との間に、両端側が摺動自在に支持されていて、図示しないアクセス用モータにより、トラッキング方向Ｔと平行するアクセス方向Ａｃへ移動自在となっている。
【０００７】
光学基台１のアクセス用副軸４側端部には、アクセス用副軸４の下方に位置するよう光集積素子５が設置されている。光集積素子５には、光源となる図示しない半導体レーザと、光ディスク２からの反射光を光電変換する図示しない光電変換部とが設けられている。
【０００８】
光学基台１の略中央部には、光集積素子５の半導体レーザより発光されたレーザ光を対物レンズ７（すなわち、光ディスク２）に反射し、また光ディスク２より反射されてきた光を光集積素子５の光電変換部に導く反射ミラー９が、対物レンズ７の光軸に対して一般に４５゜の角度で設置されている。
【０００９】
そして、反射ミラー９の上方に対物レンズ７をフォーカス方向及びトラッキング方向に移動させるアクチュエータを備えたアクチュエータベース１０が、光学基台１上に配置されている。なお、アクチュエータベース１０は、底面に球状の突部を有しており、その部分が光学基台１の球状の凹部上に接地して姿勢を維持している。なお、アクチュエータベース１０上に、枠状のアクチュエータフレーム１１が固着されている。このアクチュエータフレーム１１の略中心部には、対物レンズ７の取り付けられた可動体（以下、レンズホルダと称す）８が設けられている。
【００１０】
レンズホルダ８には、互いに平行する例えば４本の金属線１６の一端が固着され、金属線１６の他端はアクチュエータフレーム１１に固着されていて、金属線１６の弾性により対物レンズ７が上下左右方向へ移動自在に保持されている。
【００１１】
また、レンズホルダ８の両端部には一対の磁石体１７が取り付けられていると共に、アクチュエータフレーム１１側には、これら磁石体１７と対向する様にフォーカスコイル１８及びトラッキングコイル１９が設けられ、各々磁気回路を形成している。
【００１２】
次に、上記構成された従来の光ピックアップ装置の作用を説明する。光ディスク２に情報を記録する場合は、光集積素子５の半導体レーザより発光されたレーザ光を、反射ミラー９及び対物レンズ７により光ディスク２の情報層に微小スポットとして集光して記録し、また再生する場合は、光ディスクからの反射光を対物レンズ７及び反射ミラー９により光集積素子５の光電変換部へと導いて、光電変換部により電気信号に変換して再生する。
【００１３】
また、光ディスク２に反りや偏心等があって、記録再生時にフォーカスずれやトラッキングずれが生じると、光電変換部の出力信号に基づきずれ量を検出する図示しない検出手段の出力に応じてこれを補正するように、フォーカスコイル１８及びトラッキングコイル１９に制御信号が印加される。これによって、対物レンズ７がフォーカス方向Ｆ及びトラッキング方向Ｔへ駆動されて、フォーカスずれ及びトラッキングずれが補正される。
【００１４】
一方、光ディスク装置の性能維持、即ちＳ／Ｎ比の高い信号を記録再生するためには、対物レンズ７からの出射光の光軸を、光ディスクの情報層面に対して垂直にする光軸チルト調整が必要である。そのため、半径方向（トラッキング方向またはラジアル方向と称している）のチルト調整用ネジ１２ａと、接線方向（タンジェンシャル方向と称している）のチルト調整用ネジ１２ｂとを配置し、アクチュエータベース１０のネジ穴にねじこみ、光学基台１上でアクチュエアータベース１０を摺動させる事によって、光軸チルト調整を行う。この時、前記光学基台１上でアクチュエータベース１０が浮かず、チルト調整用ネジ１２ａ及び／または１２ｂの締め付け具合により滑らかに動くように、光学基台１とアクチュエータベース１０とを板バネ１５を介して、光学基台１上にアクチュエータベース１０を押しつけている。また、チルト調整ネジ１２ａ及び１２ｂは、光学基台１に備えた貫通孔１ａの孔径よりも大きい抜け阻止部１２ｃを備え、板バネ１５の付勢力に抗している。
【００１５】
【発明が解決しようとする課題】
上記従来の光ピックアップ装置のチルト調整では、アクチュエータベース１０の光学基台１への投影面から離隔した位置で、光学基台１に対してアクチュエータベース１０を圧接付勢する板バネ１５と光学基台１とを固定しているため、チルト調整用ネジ１２ａ及び／または１２ｂでのチルト調整によって板バネ１５がねじ曲げられ、それが基でアクチュエータベース１０のチルト調整方向に異方性が現れ、チルト調整用ネジ１２ａ及び／または１２ｂだけの調整では困難となる場合があり、板バネ１５と光学基台１との固定も調整し直す必要があるという課題があった。
【００１６】
一方近年では、光ピックアップ装置の低価格化はもとより、コンパクトディスクプレーヤーなどのポータブル化に伴い、より一層の小型化が要求されている。しかしながら、従来の光ピックアップ装置では、板バネ１５を設置するに際に、特にアクセス用副軸４との干渉を避けるため、多くのスペースを必要とし、光ピックアップ装置の光ディスクの情報層に平行な面が大型化し、光ピックアップの小型化をする上で障害となっていた。
【００１７】
そこで、本発明は、上記課題を克服されるために成されたもので、光ピックアップ装置の光ディスクに対するチルト調整が容易で、しかも小型化できる光ピックアップ装置を提供することを目的とする。
【００１８】
【課題を解決するための手段】
この課題を解決するために本発明は、光ディスクの情報層に光ビームを集光する対物レンズを備え、アクチュエータベースに係合する可動体と、前記アクチュエータベースを支持する光学基台と、前記アクチュエータベースと前記光学基台との間を所定の間隙に保ち、前記可動体の前記光ディスクに対する傾きを調整する２つの傾き調整部材と、前記アクチュエータベースの前記光学基台に対する略投影面内に存在し、前記アクチュエータベースと前記光学基台とを圧接付勢する付勢部材と、前記２つの傾き調整部材と一平面を規定する位置に存在し、前記アクチュエータベースと前記光学基台との間を前記所定の間隙に保つ中間部と、前記アクチュエータベースに備えた孔部に係合し、前記アクチュエータベース、前記光学基台及び前記付勢部材を保持する凸形状の先端部とを有する保持部材とを備え、前記先端部の凸形状は雄ネジであり、前記孔部は前記雄ネジと噛み合う貫通雌ネジであり、中間部の外径は前記雄ネジの山径より細い光ピックアップ装置の構成としたものである。
【００１９】
【発明の実施の形態】
請求項１に記載の本発明の光ピックアップ装置は、上記の付勢部材をアクチュエータベースの光学基台に対する略投影面に配置し、しかもアクチュエータベース、光学基台とを保持部材及び当該付勢部材を保持した保持部材を備えるため、２つの傾き調整部材のチルト調整操作に起因して付勢部材が曲げられ、チルト調整の際に付勢部材を固定する保持部材の再調整を要するという課題を抑制できる。
【００２０】
すなわち、付勢部材として従来構成と同様に板バネを適用した場合でも、板バネの傾き調整部材による曲げの程度は著しく低減され、事実上板バネを固定する保持部材を再調整する必要がない。
【００２１】
なお、付勢部材はアクチュエータベースと光学基台とを圧接付勢するため、光学基台及びアクチュエータベースと２つの傾き調整部材との係合部、光学基台または付勢部材の何れか及びアクチュエータベースと保持部材との係合部は、付勢部材の付勢力に抗する停止部材（例えば、傾き調整部材の抜け阻止部等）を備える必要がある。
【００２２】
また、本発明の光ピックアップ装置は、上記構成に加え、先端部の凸形状は雄ネジであり、孔部は前記雄ネジと噛み合う貫通雌ネジであり、中間部の外径は前記雄ネジの山径より細くすることにより、２つの傾き調整部材によるアクチュエータベースのチルト調整動作に際して保持部材とアクチュエータベースとの係合は遊貫状態であり、保持部材のアクチュエータベースに対する傾きは２つの傾き調整部材のチルト調整動作に応じて自由に追従するため、チルト調整の際の保持部材の再調整を撲滅でき、調整時間が大幅に短縮でき、光ピックアップ装置の調整コストが低減でき、ひいては光ディスク装置のコストも低減できる。
【００２３】
なお、上記の構成における付勢部材に例えば略中心に貫通孔を備えた円錐形状バネ、コイルバネ（または螺旋バネとも称される）、または一般にゴムブッシュと称される中空管状ゴム部材等を適用し、かつ当該付勢部材の中心部を保持部材が貫通するように配置すると、傾き調整部材の調整動作に応じて付勢部材の付勢方向の変動がチルト調整に対して影響を及ぼさないため、傾き調整部材の調整具合に連動して滑らかにアクチュエータベースが動くことができ、傾き調整を容易に行えるとともに、部品点数を増やすことなく、光軸チルト調整の精度を良くし光軸チルト調整作業の手間を少なくして、光ピックアップの小型化を実現できる。
【００２４】
さらに、請求項２に記載の本発明の光ピックアップ装置は、請求項１の光ピックアップ装置に加え中間部は、前記貫通雌ネジの山径より細い部分と、前記貫通雌ネジの谷径より太い部分とを備えた保持部材の構成を採用することにより、保持部材のアクチュエータベースへの締め付けの後、貫通雌ネジの山径よりも細い部分が保持部材をアクチュエータベースに対して遊貫状態としながら、貫通雌ネジの山径より太い部分がアクチュエータベースの貫通雌ネジに対する保持部材の挿入を阻止するとともに、貫通雌ネジを形成したアクチュエータベースの厚みに対する細い部分の長さを最適化することで、傾き調整部材の調整動作に対するクリアランスを保持しながら、保持部材をアクチュエータベースに対し徒に回し続ける等の作業上の無駄を回避できる。
【００２５】
【実施例】
以下、本発明の光ピックアップ装置の実施例を図面を参照しながら挙げて、本発明をより詳細に説明する。
【００２６】
図１から図４に本発明の光ピックアップ装置に類似する類似例の構成を示す。図１は本例の光ピックアップ装置の要部平面図、図２は図１の正面図、図３は図１のＸ−Ｘ断面のＸ矢視図、図４は図１のＹ−Ｙ断面のＹ矢視図である。なお、従来例において示した構成要素と同じ機能をするものは同じ符号を付した。
【００２７】
すなわち、これらの図において１は光学基台で、光ディスク２のトラッキング方向Ｔに対して平行に設けたアクセス用主軸３とアクセス用副軸４との間に、両端側が摺動自在に支持されていて、図示しないアクセス用モータによりトラッキング方向Ｔと平行するアクセス方向Ａｃへ移動自在となっている。
【００２８】
光学基台１のアクセス用副軸４側端部には、アクセス用副軸４の下方に位置するよう光集積素子５と、反射ミラー６が設置されている。光集積素子５には、光源となる図示しない半導体レーザと、光ディスク２からの反射光を図示しない光電変換する光電変換部とが設けられている。
【００２９】
光学基台１の略中央部には、光集積素子５の半導体レーザより発光されたレーザ光を対物レンズ７（すなわち、光ディスク２）に反射し、また光ディスク２より反射されてきた光を光集積素子５の光電変換部に導く反射ミラー９が、対物レンズ７の光軸に対して４５゜の角度で設置されている。
【００３０】
そして、反射ミラー９の上方に対物レンズ７をフォーカス方向及びトラッキング方向に移動させるアクチュエータを備えたアクチュエータベース１０が、光学基台１上に載置されている。なお、アクチュエータベース１０は、底面に球状の突部を有しており、その部分が光学基台１の球状の凹部上に接地して姿勢を維持している。また、アクチュエータベース１０上に、枠状のアクチュエータフレーム１１が固着されている。このアクチュエータフレーム１１の略中心部には、対物レンズ７の取り付けられた可動体であるレンズホルダ８が設けられている。
【００３１】
レンズホルダ８には、互いに平行する例えば４本の金属線１６の一端が固着され、金属線１６の他端はアクチュエータフレーム１１に固着されていて、金属線１６の弾性により対物レンズ７が上下左右方向へ移動自在に保持されている。
【００３２】
また、レンズホルダ８の両端部には一対の磁石体１７が取り付けられていると共に、アクチュエータフレーム１１側には、これら磁石体１７と対向する様にフォーカスコイル１８及びトラッキングコイル１９が設けられ、各々磁気回路を形成している。
【００３３】
次に、上記構成された従来の光ピックアップ装置の作用を説明する。光ディスク２に情報を記録する場合は、光集積素子５の半導体レーザより発光されたレーザ光を、反射ミラー９及び対物レンズ７により光ディスク２の情報層に微小スポットとして集光して記録し、また再生する場合は、光ディスクからの反射光を対物レンズ７及び反射ミラー９により光集積素子５の光電変換部へと導いて、光電変換部により電気信号に変換して再生する。
【００３４】
また、光ディスク２に反りや偏心等があって、記録再生時にフォーカスずれやトラッキングずれが生じると、光電変換部の出力信号に基づきずれ量を検出する図示しない検出手段の出力に応じてこれを補正するように、フォーカスコイル１８及びトラッキングコイル１９に制御信号が印加される。これによって、対物レンズ７がフォーカス方向Ｆ及びトラッキング方向Ｔへ駆動されて、フォーカスずれ及びトラッキングずれが補正される。
【００３５】
一方、光ディスク装置の性能維持、即ちＳ／Ｎ比の高い信号を記録再生するためには、対物レンズ７からの出射光の光軸を、光ディスクの情報層面に対して垂直にする光軸チルト調整が必要である。そのため、光ディスクの半径方向（トラッキング方向またはラジアル方向と称している）のチルト調整用ネジ１２ａと、接線方向（タンジェンシャル方向と称している）のチルト調整用ネジ１２ｂとの２つの傾き調整部材を配置し、アクチュエータベース１０のネジ穴にねじこみ、前記光学基台１上で前記アクチュエータベース１０を摺動させる事によって、光軸チルト調整を行う。これらの構成は従来例と同様である。
【００３６】
本例と従来例とが異なる点は、光軸チルト調整の際、光学基台１上でアクチュエータベース１０が浮かず、チルト調整用ネジの締め付け具合により滑らかに動くように、光学基台１上にアクチュエータベース１０を押し付ける必要があるが、保持ネジ１３の一端は付勢部材（コイルバネ）１４を介して光学基台１と係合するとともに、他端は保持ネジ１３で保持ネジ１３のネジ部をアクチュエータベースのネジ穴に締結する構成、すなわち、アクチュエータベース１０の光学基台１への略投影面内に付勢部材のコイルバネ１４を配置する構成である。
【００３７】
なお、チルト調整ネジ１２ａ及び１２ｂは、光学基台１に備えた貫通孔１ａの孔径よりも大きい抜け阻止部１２ｃを備え、コイルバネ１４の付勢力に抗している。
【００３８】
本例では、上記構成により従来例において多くのスペースを占める板バネ１５を使用しないため、光ピックアップの小型化が達成できる。
【００３９】
但し、保持ネジ１３を締め付けることで段部１３ａと、アクチュエータベース１０との当接部１０ａが当接しアクチュエータベース１０と保持ネジ１３が締結され一体化してしまう。本来、光軸調整の際、調整の精度を良くするためにチルト調整用ネジ１２ａ、１２ｂの締め付け具合によりアクチュエータベース１０の底面に設けられた球状凸部が光学基台１の球面形状の凹部上を滑らかに動く必要があるが、コイルバネ１４が保持ネジ１３の動きを阻害して、一体となっているアクチュエータベース１０の動きが滑らかでなくなる。
【００４０】
しかしながら、本例の上記構成の保持ネジ１３のネジ径を、アクチュエータベース１０の雌ネジの径よりわずかに細く加工し、螺合のクリアランスを大きくした部品を使い、かつ組立作業において保持ネジ１３のアクチュエータベース１０に当接するまで締め付けた後、２〜３回転緩めるという追加作業をすることでアクチュエータベース１０と保持ネジ１３を一体化しないように注意して組み立てる等を解消できる。
【００４１】
また、例えば図４に示したように、光学基台１の保持ネジ１３との係合部にコイルバネ１４の少なくとも一部を格納する（図では全体を示している）格納部２２を備える構成、及び／または保持ネジ１３のコイルバネ１４に対する係合部をコイルバネ１４の係合面積よりも大きくする停止部１３ｂを採用することで、上記保持ネジ１３を２〜３回転緩めチルト調整用ネジ１２ａ，１２ｂの締め付け具合によりアクチュエータベース１０のチルト調整を行った後でも、コイルバネ１４のアクチュエータベース１０と光学基台１との圧縮付勢力及びチルト調整精度が変化することを抑制でき、チルト調整を容易に成し得る。
【００４２】
（実施例１）
次に、本発明の一実施例を図５から図９を参照して詳述する。なお、従来例及び類似例の光ピックアップ装置と同一部分は同一符号を付して説明する。図５は本発明の光ピックアップ装置の平面図、図６は図５の正面図、図７は図５のＸ−Ｘ断面のＸ矢視図、図８は保持部材の中間部の外径がアクチュエータベースの係合孔の内径よりも細い構成の場合の図５のＹ−Ｙ線に沿う断面図、図９は保持部材の中間部の外径がアクチュエータベースの係合孔の内径よりも細い部分と太い部分とを有する構成の場合の図５のＹ−Ｙ線に沿う断面図である。
【００４３】
すなわち、これらの図において１は光学基台で、光ディスク２のトラッキング方向Ｔに対して平行に設たアクセス用主軸３とアクセス用副軸４との間に、両端側が摺動自在に支持されていて、図示しないアクセス用モータによりトラッキング方向Ｔと平行するアクセス方向Ａｃへ移動自在となっている。
【００４４】
光学基台１のアクセス用副軸４側端部には、アクセス用副軸４の下方に位置するよう光集積素子５と、反射ミラー６が設置されている。光集積素子５には、光源となる図示しない半導体レーザと、光ディスク２からの反射光を図示しない光電変換する光電変換部とが設けられている。
【００４５】
光学基台１の略中央部には、光集積素子５の半導体レーザより発光されたレーザ光を対物レンズ７（すなわち、光ディスク２）に反射し、また光ディスク２より反射されてきた光を光集積素子５の光電変換部に導く反射ミラー９が、対物レンズ７の光軸に対して４５゜の角度で設置されている。
【００４６】
そして、反射ミラー９の上方に対物レンズ７をフォーカス方向及びトラッキング方向に移動させるアクチュエータを備えたアクチュエータベース１０が、光学基台１上に載置されている。なお、アクチュエータベース１０は、底面に球状の突部を有しており、その部分が光学基台１の球状の凹部上に接地して姿勢を維持している。また、アクチュエータベース１０上に、枠状のアクチュエータフレーム１１が固着されている。このアクチュエータフレーム１１の略中心部には、対物レンズ７の取り付けられた可動体であるレンズホルダ８が設けられている。
【００４７】
レンズホルダ８には、互いに平行する例えば４本の金属線１６の一端が固着され、金属線１６の他端はアクチュエータフレーム１１に固着されていて、金属線１６の弾性により対物レンズ７が上下左右方向へ移動自在に保持されている。
【００４８】
また、レンズホルダ８の両端部には一対の磁石体１７が取り付けられていると共に、アクチュエータフレーム１１側には、これら磁石体１７と対向する様にフォーカスコイル１８及びトラッキングコイル１９が設けられ、各々磁気回路を形成している。
【００４９】
次に、上記構成された本実施例の光ピックアップ装置の作用を説明する。光ディスク２に情報を記録する場合は、光集積素子５の半導体レーザより発光されたレーザ光を、反射ミラー９及び対物レンズ７により光ディスク２の情報層に微小スポットとして集光して記録し、また再生する場合は、光ディスク２からの反射光を対物レンズ７及び反射ミラー９により光集積素子５の光電変換部へと導いて、光電変換部により電気信号に変換して再生する。
【００５０】
また、光ディスク２に反りや偏心等があって、記録再生時にフォーカスずれやトラッキングずれが生じると、光電変換部の出力信号に基づきずれ量を検出する図示しない検出手段の出力に応じてこれを補正するように、フォーカスコイル１８及びトラッキングコイル１９に制御信号が印加される。これによって、対物レンズ７がフォーカス方向Ｆ及びトラッキング方向Ｔへ駆動されて、フォーカスずれ及びトラッキングずれが補正される。
【００５１】
一方、光ディスク装置の性能維持、即ちＳ／Ｎ比の高い信号を記録再生するためには、対物レンズ７からの出射光の光軸を、光ディスクの情報層面に対して垂直にする光軸チルト調整が必要である。そのため、光ディスクの半径方向（トラッキング方向またはラジアル方向と称している）のチルト調整用ネジ１２ａと、接線方向（タンジェンシャル方向と称している）のチルト調整用ネジ１２ｂとの２つの傾き調整部材を配置し、アクチュエータベース１０のネジ穴にねじこみ、前記光学基台１上で前記アクチュエータベース１０を摺動させる事によって、光軸チルト調整を行う。これらの構成は類似例及び従来例と同様である。
【００５２】
また、類似例と同様に、チルト調整ネジ１２ａ及び１２ｂは、光学基台１に備えた貫通孔１ａの孔径よりも大きい抜け阻止部１２ｃを備え、コイルバネ１４の付勢力に抗している。
【００５３】
本実施例と類似例及び従来例とが異なる点は、光軸チルト調整の際、光学基台１上でアクチュエータベース１０が浮かず、チルト調整用ネジ１２ａ，１２ｂの締め付け具合により滑らかに動くように、光学基台１上でアクチュエータベース１０を押しつける必要があるが、保持部材の保持ネジ２０と光学基台１及びアクチュエータベース１０との係合方式である。すなわち、例えば図８に示すように、保持ネジ２０の一端はコイルバネ１４を介して光学基台１と係合するとともに、他端はアクチュエータベース１０のネジ穴に螺合した後保持ネジ２０は遊貫状態になるネジ部を備える構成である。
【００５４】
この構成により、チルト調整用ネジ１２ａ、１２ｂの締め付け具合に連動して滑らかにアクチュエータベースが動くことができ、手間なく精度の良い調整ができる。
【００５５】
また、図９に示すように、保持ネジ２１の中間部に、アクチュエータベース１０の係合雌ネジの山径より細い部分を係合雌ネジが形成されたアクチュエータベース１０の厚みよりも長い距離だけ形成するとともに、係合雌ネジの山径より太い部分を形成した構成を採用すれば、アクチュエータベース１０の雌ネジ孔にねじ込む時に、保持ネジ２１が確実に締め込めて保持ネジ２１のネジ部がアクチュエータベース１０を通過し、保持ネジ２１が遊貫状態になった後に、２１ａが１０ａに突き当たるため、組立作業時にネジが確実に締め込まれたことがわかるので、必要以上ににネジを回し続けることがなくなり効率的な作業ができる。
【００５６】
同時に、コイルバネ１４はアクチュエータベース１０の光学基台１への投影面内に形成しているため、光軸チルト調整の精度を良くし、光軸チルト調整作業の手間を少なくして、光ピックアップの小型化を実現できる。
【００５７】
また、例えば図８及び／または図９に示したように、光学基台１の保持ネジ２０及び／または２１との係合部にコイルバネ１４の少なくとも一部を格納する（図では全体を示している）格納部２２を備える構成、及び／または保持ネジ２０及び／または２１のコイルバネ１４に対する係合部をコイルバネ１４の係合面積よりも大きくする係止部２０ｂまたは２１ｂを採用することで、保持ネジ２０または２１・コイルバネ１４。光学基台１・アクチュエータベース１０の順番の構成において、チルト調整ネジ１２ａ及び／または１２ｂによるチルト調整によってコイルバネ１４が移動する等の影響を抑制できるため、チルト調整がより容易になる。
【００５８】
なお、上述の実施例では、保持部材・付勢部材・光学基台・アクチュエータベースの順番の構成について説明したが、付勢手段はアクチュエータベースと光学基台の間、またはアクチュエータベースとアクチュエータベースを貫通した保持部材との間であっても良く、要するにアクチュエータベースと光学基台との間に圧接付勢力を付与できる場所であれば適用できる。
【００５９】
また、上述の実施例では、調整が最も簡単であるため、２つの傾き調整部材を何れもラジアル方向とタンジェンシャル方向とに備える構成を示したが、２つの傾き調整部材と保持部材とが一平面を規定できる配置であれば本発明の技術思想が適用できること当然である。
【００６０】
なお、上述の実施例ではアクチュエータフレーム１１を備える構成について説明したが、アクチュエータフレームを省略し、例えばレンズホルダが付勢係合する金属線をアクチュエータベースに備える構成であっても、本発明の技術思想は適用できる。
【００６１】
また、上述の実施例では保持部材とアクチュエータベースとは何れも雄ネジと雌ネジとの係合で説明したが、ネジ係合に限定されず、例えばアクチュエータベースと係合する保持部材先端の外径をアクチュエータベースに備える貫通孔径より細くし、先端部を貫通させた後貫通孔径よりも太い径を有する部材でカシメる方法、貫通させた後例えば紫外線硬化樹脂等でシールする方法等であっても適用できる。
【００６２】
また、上述の実施例では可動体とアクチュエータベースとが形成する磁気回路を、磁石を可動体に備える構成について説明したが、可動体側をコイルとしても良いこと当然である。
【００６３】
【発明の効果】
以上のように本発明によれば、光軸チルト調整の精度が良く、光軸チルト調整作業の手間や部品点数を増やさずコストアップすることなく、光ピックアップの小型化を実現できる。
【図面の簡単な説明】
【図１】本発明の一実施例の光ピックアップ装置の平面図
【図２】図１の光ピックアップ装置の正面図
【図３】図１のＸ−Ｘ線に沿う断面図
【図４】図１のＹ−Ｙ線に沿う断面図
【図５】本発明の他の実施例の光ピックアップ装置の平面図
【図６】図５の光ピックアップ装置の正面図
【図７】図５のＸ−Ｘ線に沿う断面図
【図８】図５のＹ−Ｙ線に沿う断面図
【図９】図５のＹ−Ｙ線に沿う断面図
【図１０】従来の光ピックアップ装置の平面図
【図１１】従来の光ピックアップ装置の正面図
【図１２】図１０のＺ−Ｚ線に沿う断面図
【符号の説明】
１  光学基台
２  光ディスク
３  アクセス用主軸
４  アクセス用副軸
５  光集積素子
６  反射ミラー
７  対物レンズ
８  レンズホルダ
９  反射ミラー
１０  アクチュエータベース
１１  アクチュエータフレーム
１２ａ  チルト調整用ネジ(ラジアル方向)
１２ｂ  チルト調整用ネジ(タンジェンシャル方向)
１３  保持ネジ
１４  コイルバネ
１５  板バネ
１６  金属線
１７  磁石体
１８  フォーカスコイル
１９  トラッキングコイル
２０  保持ネジ
２１  保持ネジ
【図１】
0003551110.tif 000002
【図２】
0003551110.tif 000003
【図３】
0003551110.tif 000004
【図４】
0003551110.tif 000005
【図５】
0003551110.tif 000006
【図６】
0003551110.tif 000007
【図７】
0003551110.tif 000008
【図８】
0003551110.tif 000009
【図９】
0003551110.tif 000010
【図１０】
0003551110.tif 000011
【図１１】
0003551110.tif 000012
【図１２】
0003551110.tif 000013